(57)【要約】【課題】画像形成装置からのデータ送信を中継する画像処理コントローラが省電力状態から復帰する回数を減らし、省エネルギーを実現すること。【解決手段】省電力状態に移行する画像処理コントローラ１０２を介して外部へデータを送信する画像形成装置１０３は、外部にデータを送信する前に、画像処理コントローラ１０２が省電力であるか判断し（Ｓ７０１）、省電力状態の場合（Ｓ７０１でＹｅｓの場合）、前記データの送信を制限し（Ｓ７０２）、画像処理コントローラ１０２が省電力から復帰した後に（Ｓ７０３〜Ｓ７０５）、前記データを送信する（Ｓ７０６）。【選択図】図７
2015053553.tif 000002
【特許請求の範囲】
【請求項１】
画像形成装置であって、
少なくとも第１の電力状態及び前記第１の電力状態より省電力の第２の電力状態で動作し、前記画像形成装置に送信される画像データの画像処理を行う画像処理コントローラを介して外部へデータを送信する送信手段と、
前記送信手段がデータを前記画像処理コントローラを介して外部に送信する前に、前記画像処理コントローラが前記第２の電力状態であるかどうかを判断する判断手段と、
前記判断手段によって前記画像処理コントローラが前記第２の電力状態であると判断された場合、前記送信手段が前記データを送信するのを制限し、前記画像処理コントローラが前記第２の電力状態から復帰した後に、前記データを前記送信手段に送信させる制御手段と、
を有することを特徴とする画像形成装置。
【請求項２】
前記送信を制限したデータを格納する格納手段を有し、
前記制御手段は、前記画像処理コントローラが前記第２の電力状態から前記第１の電力状態に復帰した場合、前記格納手段に格納したデータを前記送信手段により送信することを特徴とする請求項１に記載の画像形成装置。
【請求項３】
前記送信手段により送信するデータは、前記画像形成装置の状態を示すデータであることを特徴とする請求項１又は２に記載の画像形成装置。
【請求項４】
前記制御手段は、前記データの送信を制限している場合であって、前回、前記送信手段によりデータを送信してから所定時間が経過した場合、前記画像処理コントローラを前記第２の電力状態から前記第１の電力状態に復帰させ、前記送信を制限しているデータを前記送信手段により送信することを特徴とする請求項３に記載の画像形成装置。
【請求項５】
原稿を読み取って画像データを入力する読み取り手段と、
前記送信手段により送信するデータは、前記読み取り手段で入力された画像データであることを特徴とする請求項２に記載の画像形成装置。
【請求項６】
前記制御手段は、前記送信を制限している画像データを前記読み取り手段で入力してから所定時間が経過した場合、前記画像処理コントローラを前記第２の電力状態から前記第１の電力状態に復帰させ、前記送信を制限している画像データを前記送信手段により送信することを特徴とする請求項５に記載の画像形成装置。
【請求項７】
前記画像データの送信を制限している場合、前記送信を制限している画像データを前記読み取り手段で入力してから前記所定時間が経過した時刻を、遅くとも前記送信を制限している画像データを送信する時刻としてユーザに通知する通知手段を有することを特徴とする請求項６に記載の画像形成装置。
【請求項８】
前記通知手段による通知が行われた画像データを、即座に送信する指示を入力するための指示手段を有し、
前記制御手段は、前記指示手段により前記指示が入力された場合、前記画像処理コントローラを前記第２の電力状態から前記第１の電力状態に復帰させ、前記画像データを前記送信手段により送信することを特徴とする請求項７に記載の画像形成装置。
【請求項９】
前記制御手段は、前記判断手段によって前記画像処理コントローラが前記第２の電力状態であると判断された場合であっても、前記格納手段に、前記読み取り手段で入力される画像データを格納するための空き容量がない場合、前記画像処理コントローラを前記第２の電力状態から前記第１の電力状態に復帰させ、前記読み取り手段で入力される画像データを前記送信手段により送信することを特徴とする請求項５に記載の画像形成装置。
【請求項１０】
前記送信手段により送信するデータは、電子メールを受信するために電子メールサーバに送信するコマンドであることを特徴とする請求項１に記載の画像形成装置。
【請求項１１】
前記制御手段は、前記データの送信を制限している場合であって、現在時刻が所定の時間帯に含まれる場合、前記画像処理コントローラを前記第２の電力状態から前記第１の電力状態に復帰させ、前記送信を制限しているデータを前記送信手段により送信することを特徴とする請求項１０に記載の画像形成装置。
【請求項１２】
前記コマンドの送信に応じて前記電子メールサーバから電子メールを受信する受信手段と、
前記受信手段で受信した電子メールを印刷する印刷手段と、を有し、
前記所定の時間帯は、前記受信手段で受信した電子メールを前記印刷手段で印刷する時間帯であることを特徴とする請求項１１に記載の画像形成装置。
【請求項１３】
前記制御手段は、前記データの送信を所定回数連続して制限した場合、前記画像処理コントローラを前記第２の電力状態から前記第１の電力状態に復帰させ、前記送信を制限しているデータを前記送信手段により送信することを特徴とする請求項１０に記載の画像形成装置。
【請求項１４】
画像形成装置の制御方法であって、
少なくとも第１の電力状態及び前記第１の電力状態より省電力の第２の電力状態で動作する送信手段が、前記画像形成装置に送信される画像データの画像処理を行う画像処理コントローラを介して外部へデータを送信する送信ステップと、
判断手段が、前記送信ステップでデータを前記画像処理コントローラを介して外部に送信する前に、前記画像処理コントローラが前記第２の電力状態であるかどうかを判断する判断ステップと、
制御手段が、前記判断ステップで前記画像処理コントローラが前記第２の電力状態であると判断された場合、前記送信ステップで前記データを送信するのを制限し、前記画像処理コントローラが前記第２の電力状態から復帰した後に、前記データを前記送信ステップで送信させる制御ステップと、
を有することを特徴とする画像形成装置の制御方法。
【請求項１５】
コンピュータを、請求項１乃至１３のいずれか１項に記載された手段として機能させるためのプログラム。
【発明の詳細な説明】
【技術分野】
【０００１】
本発明は、画像処理装置と画像処理コントローラとが連携して画像処理を行う画像形成システムの制御に関する。
【背景技術】
【０００２】
近年、画像形成装置などの機器に対する省電力化への要望に伴い、画像形成装置が一定時間操作されない等の条件で画像形成装置の電力状態を省電力状態にする技術が提案されている（特許文献１参照）。このような画像形成装置では、プリンタ部によるプリント処理およびスキャナ部によるスキャナ処理が終了してから一定時間以上経過した場合や、外部機器との通信が終了してから一定時間以上経過した場合に、画像形成装置が省電力状態に移行する。
【０００３】
ところで、上記の画像形成装置には、当該画像形成装置と連携して画像処理を行う画像処理コントローラが接続されることがある。この画像処理コントローラも、一定時間なにも印刷データを処理していなかった場合や、ネットワーク上の他の情報処理装置からアクセスがなかった場合に、省電力状態に移行する。
【先行技術文献】
【特許文献】
【０００４】
【特許文献１】特開２０１０−２５００号公報
【発明の概要】
【発明が解決しようとする課題】
【０００５】
しかしながら、従来のシステムにおいては次のような問題があった。画像形成装置は画像処理コントローラを介してネットワークと接続している。したがって、画像処理コントローラが省電力状態のときに、画像形成装置から外部に情報を送信する場合、画像処理コントローラを省電力状態から復帰させてから送信する。そのため、即座に外部に送信する必要のないときにも必ず画像処理コントローラを省電力状態から復帰してしまい、省電力の観点、機器の耐久性の観点から問題があった。
【０００６】
本発明は、上記の問題点を解決するためになされたものである。本発明の目的は、画像形成装置からのデータを中継する画像処理コントローラが省電力状態から復帰する回数を減らし、省エネルギーを実現する仕組みを提供することである。
【課題を解決するための手段】
【０００７】
本発明は、画像形成装置であって、少なくとも第１の電力状態及び前記第１の電力状態より省電力の第２の電力状態で動作し、前記画像形成装置に送信される画像データの画像処理を行う画像処理コントローラを介して外部へデータを送信する送信手段と、前記送信手段がデータを前記画像処理コントローラを介して外部に送信する前に、前記画像処理コントローラが前記第２の電力状態であるかどうかを判断する判断手段と、前記判断手段によって前記画像処理コントローラが前記第２の電力状態であると判断された場合、前記送信手段が前記データを送信するのを制限し、前記画像処理コントローラが前記第２の電力状態から復帰した後に、前記データを前記送信手段に送信させる制御手段と、を有することを特徴とする。
【発明の効果】
【０００８】
本発明によれば、画像形成装置からのデータ送信を中継する画像処理コントローラが省電力状態から復帰する回数を減らし、省エネルギーを実現することができる。
【図面の簡単な説明】
【０００９】
【図１】本発明の一実施例を示す画像形成システムの全体構成を例示する図。
【図２】画像形成装置および画像処理コントローラのハードウェア構成を例示する図。
【図３】画像形成装置の電源回路を例示する図。
【図４】ネットワークＩ／Ｆのハードウェア構成を例示する図。
【図５】画像処理コントローラのソフトウェア構成を例示する図。
【図６】画像処理コントローラと画像形成装置の電力状態の遷移を例示する図。
【図７】画像形成装置における機器状況情報送信動作を例示するフローチャート。
【図８】画像形成装置における電子メール受信動作を例示するフローチャート。
【図９】画像形成装置における外部送信ジョブ動作を例示するフローチャート。
【図１０】画像形成装置の最大送信ジョブ留め置き時間設定画面を例示する図。
【図１１】画像形成装置のＳｅｎｄジョブ送信確認画面を例示する図。
【図１２】省電力状態での画像処理コントローラの動作を例示するフローチャート。
【発明を実施するための形態】
【００１０】
以下、本発明の実施形態について、図面を用いて詳細に説明する。
【実施例１】
【００１１】
＜画像形成システムの全体構成＞
図１は、本発明の一実施例を示す画像形成システムの全体構成の一例を示す図である。
図１において、１００は画像形成システム（情報処理システム）である。画像形成システム１００は、画像形成装置（第１の情報処理装置）１０３と、画像処理コントローラ（第２の情報処理装置）１０２とを備えている。
【００１２】
そして、画像形成システム１００は、クライアントコンピュータ１０１と通信可能に接続されている。クライアントコンピュータ１０１と画像処理コントローラ１０２とは、ＬＡＮ１１３を介して通信可能に接続されている。また、画像処理コントローラ１０２と画像形成装置１０３とは、制御ケーブル１１１および画像ビデオケーブル１１２を介して接続されている。
【００１３】
また、本実施例では、画像形成装置１０３は、ＬＡＮに直接接続されていない。つまり、画像形成装置１０３とクライアントコンピュータ１０１とは、画像処理コントローラ１０２を介して通信する。なお、画像形成装置１０３は、ＬＡＮ１１３に接続されても良い。つまり、画像形成装置１０３は、直接、クライアントコンピュータ１０１と通信可能に接続されていても良い。
【００１４】
クライアントコンピュータ１０１は、アプリケーションを起動させて画像形成装置１０３に印刷指示などを行う。画像処理コントローラ１０２は、画像形成装置１０３と連携して画像処理を行う。画像形成装置１０３は、ＭＦＰ（Multiple Function Peripheral）である。画像形成装置１０３は、スキャナ部１０４、操作部１０５、ＭＦＰコントローラ１０６、プリンタ部（プリンタエンジン）１０７、ファックス部１０８、ＩＣカードリーダ１０９、およびフィニッシャ１１０を有する。サーバ１１４は、画像形成装置１０３の機器状態情報を収集し管理を行うサーバである。
＜画像形成システムの構成＞
図２は、画像形成装置１０３および画像処理コントローラ１０２のハードウェア構成の一例を示すブロック図である。
画像形成装置１０３において、スキャナ部１０４は、原稿を読み取って画像データを入力する。操作部１０５は、各種キーやパネルを有する。また、操作部１０５は、各種キーを介して、ユーザから各種指示を受け付ける。また、操作部１０５は、パネルを介して各種情報を表示する。ＭＦＰコントローラ１０６は、上記したスキャナ部１０４やプリンタ部１０７などを制御する。このＭＦＰコントローラ１０６の詳細は後述する。
【００１５】
プリンタ部１０７は、画像データに基づいて用紙に印刷を行う。ファックス部１０８は、不図示の電話回線に接続され、当該電話回線等を介してファクシミリの入出力処理を行う。ＩＣカードリーダ１０９は、ユーザを識別するためのＩＣカードから情報を読み取る。フィニッシャ１１０は、プリンタ部１０７により画像が形成された用紙を受け取って、当該受け取った用紙に対して、排紙、ソート、ステイプル、パンチ、および裁断などの加工を施す。
【００１６】
上記構成の画像形成装置１０３は、以下の機能を実行することができる。
〔コピー機能〕
スキャナ部１０４により読み取られた原稿の画像データをＭＦＰコントローラ１０６内のＨＤＤ２１１に記録すると共に、当該画像データに基づいてプリンタ部１０７が用紙に印刷を行う。
〔ＳＥＮＤ機能〕
スキャナ部１０４により読み取られた原稿の画像データを、ネットワークを介してクライアントコンピュータ１０１に送信する。
〔ＢＯＸ機能〕
スキャナ部１０４により読み取られた原稿の画像データをＭＦＰコントローラ１０６内のＨＤＤ２１１に記録する。また、クライアントコンピュータ１０１から送信された画像データをＭＦＰコントローラ１０６内のＨＤＤ２１１に記憶する。
〔プリント機能〕
クライアントコンピュータ１０１から送信されたＰＤＬ（ページ記述言語）データをプリンタ部１０７が解釈して印刷する。
【００１７】
＜画像処理装置のＭＦＰコントローラの詳細＞
ここで、図２を参照して、画像形成装置１０３のＭＦＰコントローラ１０６の詳細を説明する。
ＭＦＰコントローラ１０６は、ＣＰＵ２０８、メモリ２０９、ネットワークＩ／Ｆ２１０、ＨＤＤ２１１、エンジンＩ／Ｆ２１２、ビデオＩ／Ｆ２１３、リーダＩ／Ｆ２１５、ファックスＩ／Ｆ２１６、および電源制御部２１７、を有している。
【００１８】
ＣＰＵ２０８は、記憶装置（メモリ２０９やＨＤＤ２１１）に格納されたプログラムを実行し、システムバス２１４を介して、画像形成装置１０３の各部の制御、及び演算を行う。メモリ２０９は、ＣＰＵ２０８のワークメモリとして使用される。ネットワークＩ／Ｆ２１０は、制御ケーブル１１１を介して画像処理コントローラ１０２と制御コマンドの送受信を行う。
【００１９】
ＨＤＤ２１１は、大容量の記憶装置であり、ＣＰＵ２０８により実行される各種制御プログラムや画像データを格納している。なお、ＨＤＤの代わりに、ＳＳＤ（Solid State Drive）等の他の記憶装置を備えていてもよい。
【００２０】
エンジンＩ／Ｆ２１２は、プリンタ部１０７と制御コマンドの送受信を行う。ビデオＩ／Ｆ２１３は、画像ビデオケーブル１１２を介して画像処理コントローラ１０２と画像データの送受信を行う。リーダＩ／Ｆ２１５は、スキャナ部１０４および操作部１０５と制御コマンドの送受信を行う。ファックスＩ／Ｆ２１６は、ファックス部１０８に接続されている。また、電源制御部２１７は、画像形成装置１０３の各部への電力供給の制御を行う。
【００２１】
＜画像処理コントローラの詳細＞
また、図２に示すように、画像処理コントローラ１０２は、ＣＰＵ２０１、メモリ２０２、ＨＤＤ２０３、ネットワークＩ／Ｆ２０４および２０５、並びにビデオＩ／Ｆ２０６を有している。
【００２２】
ＣＰＵ２０１は、記憶装置（メモリ２０２やＨＤＤ２０３）に格納されたプログラムを実行し、システムバス２０７を介して画像処理コントローラ１０２の各部の制御、及び演算を行う。メモリ２０２は、ＣＰＵ２０１のワークメモリとして使用される。
【００２３】
ＨＤＤ２０３は、大容量の記憶装置であり、ＣＰＵ２０１により実行される各種制御プログラムおよび画像データを格納している。なお、ＨＤＤの代わりに、ＳＳＤ（Solid State Drive）等の他の記憶装置を備えていてもよい。
【００２４】
ネットワークＩ／Ｆ２０４は、ＬＡＮ１１３を介してクライアントコンピュータ１０１などの他の装置と通信を行う。また、ネットワークＩ／Ｆ２０５は、制御ケーブル１１１を介して画像形成装置１０３と制御コマンドの送受信を行う。ビデオＩ／Ｆ２０６は、画像ビデオケーブル１１２を介して画像形成装置１０３と画像データの送受信を行う。
【００２５】
＜画像形成装置の電源回路図＞
次に、図３を参照して、画像形成装置１０３の電源構成について説明する。
図３は、画像形成装置１０３の電源回路の一例を示す図である。
画像形成装置１０３は、小容量の第１電源部２５１および大容量の第２電源部２５２を有している。第１電源部２５１は、ＡＣ電源２５６から供給された交流電源を直流電源（例えば、３．３Ｖ）に変換する。この直流電源は、ファックス部１０８、電源制御部２１７、メモリ２０９およびネットワークＩ／Ｆ２１０などに供給される。
【００２６】
第２電源部２５２は、ＡＣ電源２５６から供給された交流電源を直流電源（例えば、１２Ｖ、２４Ｖ）に変換する。この直流電源は、プリンタ部１０７、スキャナ部１０４、フィニッシャ１１０、ＣＰＵ２０８およびＨＤＤ２１１などに供給される。
【００２７】
ＡＣ電源２５６と第１電源部２５１との間には、シーソースイッチ２５３およびリレー２５４が設けられている。また、ＡＣ電源２５６と第２電源部２５２との間には、リレー２５５が設けられている。このシーソースイッチ２５３は、ユーザの操作に応じてオン状態又はオフ状態になる。シーソースイッチ２５３の状態（オフ状態またはオン状態）は、後述する電源制御部２１７に通知される。
【００２８】
電源制御部２１７は、シーソースイッチ２５３の状態（オン状態またはオフ状態）を検知する。また、リレー２５４およびリレー２５５は、電源制御部２１７によってオンまたはオフが切り換えられる。
【００２９】
電源制御部２１７は、リレー２５４およびリレー２５５をオン状態にする。これにより、第１電源部２５１および第２電源部２５２から、プリンタ部１０７、スキャナ部１０４およびフィニッシャ１１０などの各部に電力が供給される。これにより、画像形成装置１０３がスタンバイ状態になる。
【００３０】
また、電源制御部２１７は、リレー２５４をオン状態にして且つリレー２５５をオフ状態にする。これにより、第２電源部２５２からプリンタ部１０７やスキャナ部１０４などへの電力の供給が停止される。これにより、画像形成装置１０３が省電力状態６０４になる。省電力状態６０４では、電源制御部２１７、メモリ２０９およびネットワークＩ／Ｆ２１０などの限られた部分への電力供給を行い、その他の部分への電力供給を停止する。
【００３１】
＜ネットワークＩ／Ｆのブロック図＞
図４は、ネットワークＩ／Ｆ２０４、２０５、２１０のハードウェア構成の一例を示すブロック図である。ネットワークＩ／Ｆ２０４、２０５、２１０は、画像処理コントローラ１０２、画像形成装置１０３に着脱可能なネットワークインタフェース装置である。
【００３２】
図４に示すように、ネットワークＩ／Ｆ２０４、２０５、２１０のそれぞれは、ＣＰＵ４０１，ＲＡＭ４０２，ＲＯＭ４０３，ネットワークＩ／Ｆ４０４，ＬＥＤ４０５，拡張Ｉ／Ｆ４０６と、これらを互いに接続するシステムバス４０７を有する。ＣＰＵ４０１は、ＲＯＭ４０３に記憶された制御プログラムに従って各種制御処理を実行する。
【００３３】
ネットワークＩ／Ｆ２０４では例えば、ＣＰＵ４０１は、ネットワークＩ／Ｆ４０４を介してＬＡＮ１１３に接続し、更にＬＡＮ１１３を介してＬＡＮ１１３上のクライアントコンピュータ１０１と所定の通信プロトコルに従って通信する。これにより、例えばクライアントコンピュータ１０１から送信された印刷データや印刷制御命令等の各種データを受信し、拡張Ｉ／Ｆ４０６を介して画像処理コントローラ１０２に転送し、画像処理コントローラ１０２において画像処理を行うことができる。
【００３４】
ＲＡＭ４０２は、ＣＰＵ４０１の主メモリ、ワークエリア等の一時記憶領域として用いられる。ＬＥＤ４０５は、ネットワークＩ／Ｆ２０４、２０５、２１０の動作状態を示す表示部として用いられている。ＬＥＤ４０５は、例えば、ネットワークＩ／Ｆ４０４とＬＡＮ１１３との電気的な接続状態や通信モード等の各種動作状態をＬＥＤの色や点滅パターンで示すことができる。
【００３５】
拡張Ｉ／Ｆ４０６は、ネットワークＩ／Ｆ２０４、２０５、２１０と画像処理コントローラ１０２、画像形成装置１０３とを接続するためのＩ／Ｆであり、ＰＣＩ(Peripheral Component Interconnect)バス等に接続される。
【００３６】
＜画像処理コントローラのソフトウェア構成＞
次に、図５を参照して、画像処理コントローラ１０２のソフトウェア構成について説明する。
図５は、画像処理コントローラ１０２のソフトウェア構成の一例を示すブロック図である。なお、図５に示す各ソフトウェアは、画像処理コントローラ１０２のメモリ２０２またはＨＤＤ２０３に記憶されたプログラムをＣＰＵ２０１が読み出して実行することにより実現される。
【００３７】
ＯＳ３２１は、画像処理コントローラ１０２の基本ソフトであるＯＳ（オペレーティングシステム）を示している。プリントサーバアプリケーション３０１は、ＣＰＵ２０１で実行されるＯＳ３２１上で動作するアプリケーションソフトウェアである。プリントサーバアプリケーション３０１は、組み版編集部３１１、Ｊｏｂ制御部３１２、およびＲＩＰ処理部３１３を有し、画像処理を含む各種処理を実行する。
【００３８】
組み版編集部３１１は、クライアントコンピュータ１０１からの指示に基づき、ページ毎の画像データを製本組み版フォーマットに編集する組み版編集処理を行う編集部である。Ｊｏｂ制御部３１２は、クライアントコンピュータ１０１からの指示に基づき、印刷Ｊｏｂの制御を行う制御部である。具体的には、Ｊｏｂ制御部３１２は、クライアントコンピュータ１０１からの印刷データの受信やその指示とその印刷Ｊｏｂの印刷順番制御を行う。ＲＩＰ処理部３１３は、組み版編集部３１１による組み版時や、Ｊｏｂ制御部３１２において実際の画像形成処理を行う場合にＰＤＬ（Page Description Language）を印刷可能なラスターイメージに変換処理をする処理部である。
【００３９】
＜画像処理コントローラ、画像形成装置の電力状態の遷移＞
図６は、画像処理コントローラ１０２と画像形成装置１０３の電力状態の遷移を示す状態遷移図である。
【００４０】
本実施例の画像処理コントローラ１０２と画像形成装置１０３は、電源ＯＦＦ状態６０１、スタンバイ状態（第１の電力状態）６０２、ジョブ実行状態６０３、省電力状態（第２の電力状態）６０４のいずれかの電力状態になる。本実施例では、上記した４つの状態を例示したが、本発明はこれに限らず、画像処理コントローラ１０２と画像形成装置１０３は、他の電力状態になってもよい。
【００４１】
例えば、画像処理コントローラ１０２は、サスペンド状態やハイバネーション状態になってもよい。サスペンド状態とは、画像処理コントローラ１０２がスタンバイ状態６０２に高速で復帰可能な状態である。このサスペンド状態では、メモリ２０２への通電が維持されており、画像処理コントローラ１０２は、メモリ２０２に記憶した画像処理コントローラ１０２の状態を用いて画像処理コントローラ１０２がスタンバイ状態６０２に起動する。
【００４２】
また、ハイバネーション状態も、画像処理コントローラ１０２がスタンバイ状態に高速で復帰可能な状態である。このハイバネーション状態では、電力状態が電源ＯＦＦ状態６０１と同様であって、画像処理コントローラ１０２の各部への電力供給は停止される。ただし、電源ＯＦＦ状態６０１と異なるのは、ハイバネーション状態に移行する前に、画像処理コントローラ１０２との状態がＨＤＤ２０３に記憶されることである。ハイバネーション状態からスタンバイ状態に復帰する場合には、画像処理コントローラ１０２は、ＨＤＤ２０３に記憶された情報に基づいて、高速復帰する。
【００４３】
画像処理コントローラ１０２と画像形成装置１０３の電力状態を消費電力の高い順に並べると、ジョブ実行状態６０３＞スタンバイ状態６０２＞省電力状態６０４＞電源ＯＦＦ状態６０１となる。
【００４４】
次に、画像形成装置１０３の各電力状態について説明する。
電源ＯＦＦ状態６０１は、画像形成装置１０３のシーソースイッチ２５３がＯＦＦになっている状態であり、画像形成装置１０３の全ての構成に対して電力供給が停止する。電源ＯＦＦ状態６０１において、ユーザがシーソースイッチ２５３をＯＮにすると、スタンバイ状態６０２に遷移する。
【００４５】
スタンバイ状態６０２は、画像形成装置１０３がジョブの実行を待機している状態であり、画像形成装置１０３の全ての構成に対して電力供給が行われる。なお、スタンバイ状態６０２では、画像形成装置１０３の構成のうち、必ずしも全ての構成に対して電力供給が行われる必要はなく、必須となる構成には電力供給され、それ以外の構成（例えば操作部１０５等）には電力供給されないようにしてもよい。スタンバイ状態６０２において、クライアントコンピュータ１０１から画像処理コントローラ１０２を介してジョブを受け付けると、画像形成装置１０３は、ジョブ実行状態６０３に遷移する。また、スタンバイ状態６０２において、省電力移行要因があると、画像形成装置１０３は、省電力状態６０４に遷移する。
【００４６】
省電力移行要因としては、例えば、以下（１）〜（３）などが該当する。
（１）ユーザが省電力移行ボタン（図示せず）を押したこと。
（２）スタンバイ状態６０２で印刷ジョブやスキャンジョブなどを実行しない状態で所定時間が経過したこと。
（３）クライアントコンピュータ１０１から画像形成装置１０３のリモートＵＩにアクセスしない状態で所定時間が経過したこと。
【００４７】
また、スタンバイ状態６０２において、ユーザがシーソースイッチ２５３をＯＦＦにすると、シャットダウン処理が実行されて、画像形成装置１０３は、電源ＯＦＦ状態６０１に遷移する。シャットダウン処理とは、画像形成装置１０３を終了させるために、ＯＳやアプリケーションを終了させる処理のことである。
【００４８】
ジョブ実行状態６０３は、画像形成装置１０３がジョブを実行している状態であり、画像形成装置１０３の全ての構成に対して電力供給が行われる。なお、ジョブ実行状態６０３でも、画像形成装置１０３の構成のうち、必ずしも全ての構成に対して電力供給が行われる必要はなく、必須となる構成には電力供給され、それ以外の構成（例えば操作部１０５等）には電力供給されないようにしてもよい。また、ジョブの実行に使用されないユニットに対しては電力供給されないようにしてもよい。具体的には、用紙に画像を形成する印刷ジョブを実行している場合には、印刷ジョブの実行に使用されない操作部１０５やスキャナ部１０４などへの電力供給を停止してもよい。ジョブ実行状態６０３において、ジョブを終了すると、スタンバイ状態６０２に遷移する。
【００４９】
省電力状態６０４は、画像形成装置１０３が省電力で待機している状態であり、画像形成装置１０３の構成のうち、ネットワークＩ／Ｆ２１０を含む一部のＭＦＰコントローラ１０６の構成に対して電力供給が行われる状態である。この省電力状態６０４では、スキャナ部１０４、プリンタ部１０７、操作部１０５等に対しては電力供給が停止される。省電力状態６０４において、省電力復帰要因を受け付けると、スタンバイ状態６０２に遷移する。なお、ネットワークＩ／Ｆ２１０が、ネットワークを介して送信される簡単なパケットに対して、省電力状態６０４のままで、応答することができる。この機能を代理応答と言う。簡単なパケットとしては、ＡＲＰ要求、ＳＮＭＰ状態取得、ＩＣＭＰ近隣探索などのパケットが挙げられる。なお、ＡＲＰは、Address Resolution Protocolを示す。ＳＮＭＰは、Simple Network Management Protocolを示す。ＩＣＭＰは、Internet Control Message Protocolを示す。
【００５０】
省電力復帰要因としては、例えば、以下の（１）〜（２）などが該当する。
（１）ユーザが省電力復帰ボタンを押したこと。
（２）クライアントコンピュータ１０１からジョブを受け付けたこと。
【００５１】
次に、画像処理コントローラ１０２の各電力状態について説明する。
電源ＯＦＦ状態６０１は、画像処理コントローラ１０２のＯＳをシャットダウンしている状態である。電源ＯＦＦ状態６０１において、ユーザが不図示の電源スイッチをＯＮにすると、スタンバイ状態６０２に遷移する。
【００５２】
スタンバイ状態６０２は、画像処理コントローラ１０２がジョブの実行を待機している状態であり、画像処理コントローラ１０２の全ての構成に対して電力供給が行われる。スタンバイ状態６０２において、クライアントコンピュータ１０１から印刷ジョブを受け付けると、画像処理コントローラ１０２は、ジョブ実行状態６０３に遷移する。また、スタンバイ状態６０２において、省電力移行要因があると、画像形成装置１０３は、省電力状態６０４に遷移する。
【００５３】
省電力移行要因としては、例えば、以下の（１）〜（３）などが該当する。
（１）ユーザが省電力状態移行を指示したこと。
（２）スタンバイ状態６０２で印刷ジョブやスキャンジョブなどを実行しない状態で所定時間が経過したこと。
（３）クライアントコンピュータ１０１から画像処理コントローラ１０２のジョブ管理ツールにアクセスしない状態で所定時間が経過したこと。
【００５４】
ジョブ実行状態６０３は、画像処理コントローラ１０２がジョブを実行している状態であり、画像処理コントローラ１０２の全ての構成に対して電力供給が行われる。ジョブ実行状態６０３において、ジョブを終了すると、スタンバイ状態６０２に遷移する。
【００５５】
省電力状態６０４は、画像処理コントローラ１０２が省電力で待機している状態であり、画像処理コントローラ１０２の構成のうち、ネットワークＩ／Ｆ２０４、２０５に対して電力供給が行われる状態である。省電力状態６０４において、省電力復帰要因を受け付けると、スタンバイ状態６０２に遷移する。
【００５６】
省電力復帰要因としては、例えば、以下の（）〜（）などが該当する。
（１）ユーザが画像処理コントローラ１０２の電源ボタンを押したこと。
（２）画像処理コントローラ１０２がマジックパケットを受けたこと。
ここで、マジックパケットとは、ネットワークを通じて機器の電源を入れるために特別にコード化されたネットワークパケットである。
【００５７】
＜画像形成装置が機器状況情報を外部に送信するときの画像形成装置の動作説明＞
以下、画像処理コントローラ１０２が省電力状態のときに画像形成装置１０３が機器状況情報を外部のサーバ１１４に送信するときの画像形成装置１０３の動作を図７のフローチャートを用いて説明する。
図７は、画像形成装置１０３が機器状況情報を外部のサーバ１１４に送信するときの画像形成装置１０３の動作の一例を示すフローチャートである。
【００５８】
なお、図７に示したフローチャートは、メモリ２０９に展開されたプログラムをＣＰＵ２０８が実行することにより実現される。このフローチャートでは、画像処理コントローラ１０２をＤＦＥ（Digital Front End）と記す。また、省電力状態６０４をスリープ（Ｓｌｅｅｐ）と記す。
【００５９】
画像形成装置１０３は、定期的に機器の状態情報を外部サーバ１１４に送信する。機器の状況情報には、カウンタ情報、ジャム情報、トナー情報、エラー情報などがある。画像形成装置１０３が機器状況情報を外部のサーバに送るときに、ＣＰＵ２０８は、画像処理コントローラ１０２が省電力状態６０４であるか否かを判断する（Ｓ７０１）。
【００６０】
ＣＰＵ２０８は、画像処理コントローラ１０２が省電力状態６０４ではないと判断した場合（Ｓ７０１でＮｏの場合）、ネットワークＩ／Ｆ２１０を制御して、機器状況情報を外部サーバ１１４に送信させる（Ｓ７０６）。
【００６１】
一方、ＣＰＵ２０８は、画像処理コントローラ１０２が省電力状態であると判断した場合（Ｓ７０１でＹｅｓの場合）、前記機器状況情報をＨＤＤ２１１の決められた領域に上書き保存する（Ｓ７０２）。結果的にこの領域には最新の機器状況情報が保存されることになる。
【００６２】
次に、ＣＰＵ２０８は、画像処理コントローラ１０２が省電力状態から復帰したか否かを判断する（Ｓ７０３）。ＣＰＵ２０８は、画像処理コントローラ１０２が省電力状態から復帰したと判断した場合（Ｓ７０３でＹｅｓの場合）、上記Ｓ６０２で更新された機器状況情報をネットワークＩ／Ｆ２１０を制御して外部サーバ１１４に送信させる（Ｓ７０６）。
【００６３】
一方、ＣＰＵ２０８は、画像処理コントローラ１０２が省電力状態から復帰していないと判断した場合（Ｓ７０３でＮｏの場合）、Ｓ７０４に処理を進める。Ｓ７０４では、ＣＰＵ２０８は、前回、外部サーバ１１４に機器状態情報を送信した時間からの経過時間が予め設定されている最大送信間隔時間（例えばＨＤＤ２１１に格納されている）を超えているか否かを判断する。ＣＰＵ２０８は、最大送信間隔時間を超えていないと判断した場合（Ｓ７０４でＮｏの場合）、Ｓ７０３、Ｓ７０４の判断を繰り返すように制御する。
【００６４】
一方、ＣＰＵ２０８は、最大送信間隔時間を超えていると判断した場合（Ｓ７０４でＹｅｓの場合）、Ｓ７０５に処理を進める。Ｓ７０５において、ＣＰＵ２０８は、マジックパケットをネットワークＩ／Ｆ ２１０、制御ケーブル１１１を介して画像処理コントローラ１０２に送信し、画像処理コントローラ１０２を省電力状態から復帰させる（Ｓ７０５）。次に、ＣＰＵ２０８は、上記Ｓ７０２で更新された機器状況情報をネットワークＩ／Ｆ２１０を制御して外部サーバ１１４に送信させる（Ｓ７０６）。
【００６５】
次に、画像処理コントローラ１０２が省電力状態のときに画像形成装置１０３が機器状況情報を外部のサーバ１１４に送信するときの画像処理コントローラ１０２の動作を図１２のフローチャートを用いて説明する。
図１２は、省電力状態における画像処理コントローラ１０２の動作の一例を示すフローチャートである。
【００６６】
画像処理コントローラ１０２が省電力状態のとき、画像処理コントローラ１０２のネットワークＩ／Ｆ２０５上のＣＰＵ４０１は、自分宛のマジックパケットが送られてきたか否かを監視する（Ｓ１２０１）。ＣＰＵ４０１は、自分宛のマジックパケットを受信していないと判断した場合（Ｓ１２０１でＮｏの場合）、Ｓ１２０１の判断を繰り返す。
【００６７】
一方、ＣＰＵ４０１は、自分宛てのマジックパケットを受信したと判断した場合（Ｓ１２０１でＹｅｓの場合）、画像処理コントローラ１０２を省電力状態から復帰させるためにＣＰＵ２０１に電力を供給するように制御する（Ｓ１２０２）。なお、ここで画像処理コントローラ１０２が受信したマジックパケットは、画像形成装置１０３が図７のＳ７０５で送信したマジックパケットに対応する。
【００６８】
電力供給されて復帰したＣＰＵ２０１は、省電力状態６０４に移行する直前のメモリデータをＨＤＤ２０３から取得し、メモリ２０２にロードし、画像処理コントローラ１０２を省電力状態６０４からスタンバイ状態６０２に復帰させる（Ｓ１２０３）。
【００６９】
次に、ＣＰＵ２０１は、ネットワークＩ／Ｆ２０５でデータを受信したか否かを判断する（Ｓ１２０４）。ＣＰＵ２０１は、ネットワークＩ／Ｆ２０５でデータを受信していないと判断した場合（Ｓ１２０４でＮｏの場合）、Ｓ１２０４の判断を繰り返す。
【００７０】
一方、ＣＰＵ２０１は、ネットワークＩ／Ｆ２０５でデータを受信したと判断し（Ｓ１２０４でＹｅｓの場合）、Ｓ１２０５に処理を進める。なお、ここで受信したデータは、画像形成装置が図７のＳ７０６で送信した機器状況情報に対応する。
Ｓ１２０５では、ＣＰＵ２０１は、上記受信したデータ（機器状況情報）をネットワークＩ／Ｆ２０４を介してＬＡＮ１１３にデータを転送し、外部サーバ１１４に機器状況情報を送信する。
【００７１】
＜実施例１の効果＞
実施例１では、画像形成装置１０３は、機器状況情報を外部サーバ１１４に送信するときに、画像処理コントローラ１０２が省電力状態の場合には、機器状況情報の更新のみを行い外部サーバ１１４には送信しない（送信を制限（保留）する）。そして、画像処理コントローラ１０２が省電力状態から復帰したときに、画像形成装置１０３は、外部サーバ１１４への上記機器状況情報の送信を行う。この構成により、画像処理コントローラ１０２の省電力状態からの復帰回数を削減し、電力を削減することができるという効果を奏する。なお、機器状況情報の送信を制限（保留）したまま所定時間経過した場合、画像処理コントローラ１０２を省電力状態から復帰させ、該送信を制限（保留）した機器状況情報を送信する。
【実施例２】
【００７２】
＜画像形成装置が電子メールを受信するときの画像形成装置の動作説明＞
以下、画像処理コントローラ１０２が省電力状態のときに画像形成装置１０３が電子メールを受信するときの画像形成装置１０３の動作を図８のフローチャートを用いて説明する。
【００７３】
図８は、画像形成装置１０３が電子メールを受信するときの画像形成装置１０３の動作の一例を示すフローチャートである。なお、図８に示したフローチャートは、メモリ２０９に展開されたプログラムをＣＰＵ２０８が実行することにより実現される。このフローチャートでは、画像処理コントローラ１０２をＤＦＥ（Digital Front End）と記す。
【００７４】
画像形成装置１０３には電子メール受信機能があり、定期的に外部の電子メールサーバ（ＰＯＰサーバ）（不図示）にアクセスし（電子メール受信コマンドを送信し）電子メールを受信する。画像形成装置１０３は電子メールを受信すると自動的に印刷を行う。この電子メール印刷機能には電子メール印刷時間帯の設定があり、例えば午前９時から午後５時までを電子メール印刷時間帯に設定した場合、午前９時から午後５時以外の時間に電子メールを受信した場合には電子メールは受信のみを行い、印刷は行われない。
【００７５】
画像形成装置１０３が電子メールを受信するとき、ＣＰＵ２０８は、画像処理コントローラ１０２が省電力状態６０４であるか否かを判断する（Ｓ８０１）。ＣＰＵ２０８は、画像処理コントローラ１０２が省電力状態６０４ではないと判断した場合（Ｓ８０１でＮｏの場合）、ＰＯＰサーバにアクセスして（電子メール受信コマンドを送信して）電子メールを受信する（Ｓ８０５）。
【００７６】
一方、ＣＰＵ２０８は、画像処理コントローラ１０２が省電力状態６０４であると判断した場合（Ｓ８０１でＹｅｓの場合）、Ｓ８０２に処理を移行する。
【００７７】
Ｓ８０２では、ＣＰＵ２０８は、画像処理コントローラ１０２が省電力状態６０４から復帰したか否かを判断する。ＣＰＵ２０８は、画像処理コントローラ１０２が省電力状態から復帰したと判断した場合（Ｓ８０２でＹｅｓの場合）、ＰＯＰサーバにアクセスして（電子メール受信コマンドを送信して）電子メールを受信する（Ｓ８０５）。
【００７８】
一方、ＣＰＵ２０８は、画像処理コントローラ１０２が省電力状態から復帰していないと判断した場合（Ｓ８０２でＮｏの場合）、現在時刻が電子メール印刷時間帯に入っているか否かを判断する（Ｓ８０３）。ＣＰＵ２０８は、電子メール印刷時間帯に入っていないと判断した場合（Ｓ８０３でＮｏの場合）、Ｓ８０２、Ｓ８０３の判断を繰り返すように制御する。
【００７９】
一方、ＣＰＵ２０８は、電子メール印刷時間帯に入っていると判断した場合（Ｓ８０３でＹｅｓの場合）、Ｓ８０４に処理を進める。Ｓ８０４では、ＣＰＵ２０８は、マジックパケットをネットワークＩ／Ｆ２１０、制御ケーブル１１１を介して画像処理コントローラ１０２に送信し、画像処理コントローラ１０２を省電力状態から復帰させる。次に、ＣＰＵ２０８は、ＰＯＰサーバにアクセスして（電子メール受信コマンドを送信して）電子メールを受信する（Ｓ８０５）。
【００８０】
なお、画像処理コントローラ１０２が省電力状態のときに画像形成装置１０３が電子メールを受信するときの画像処理コントローラ１０２の動作については、実施例１の図１２に示した動作と同様である。ただし、画像処理コントローラ１０２は、省電力状態から復帰後（Ｓ１２０２、Ｓ１２０３）、電子メール受信コマンドを受信し（Ｓ１２０４）、該受信した電子メール受信コマンドをＬＡＮ１１３に転送する（Ｓ１２０５）。
【００８１】
＜実施例２の効果＞
実施例２では、画像形成装置１０３が電子メールを受信するときに画像処理コントローラ１０２が省電力状態の場合には電子メールの受信を行わない（電子メール受信コマンドの電子メールサーバへの送信を制限（保留）する）。そして、画像処理コントローラ１０２が省電力状態から復帰したとき、または現在時刻が電子メール印刷時間帯に入っている場合に、画像形成装置１０３は、電子メールの受信を行う。これにより、電子メール印刷時間帯以外の電子メール受信による画像処理コントローラ１０２の省電力状態からの復帰回数を削減し、電力を削減することができるという効果を奏する。
【００８２】
本実施例では、現在時刻が印刷時間帯である場合には、画像処理コントローラ１０２を省電力状態から復帰させて電子メール受信を行う構成としている。しかし、この構成に加えて、ＰＯＰサーバにアクセスできなかった回数をカウントして、連続して所定回数（例えば１０回）アクセスできない場合は、画像処理コントローラ１０２を省電力状態から復帰させて電子メール受信を行うように構成してもよい。なお、ＰＯＰサーバに連続して所定回数アクセスできなかった場合とは、ＣＰＵ２０８が電子メール受信コマンドの送信を所定回数連続して制限（保留）した場合に対応する。
【００８３】
なお、実施例２でも、実施例１と同様に、前回、電子メール受信コマンドを送信した時間から最大送信間隔時間が経過した場合に、画像処理コントローラ１０２を省電力状態から復帰させて電子メール受信コマンドを送信するように構成してもよい。
【００８４】
また、実施例１でも、実施例２と同様に、現在時刻が予め設定されている所定の時間帯に入っている場合に、画像処理コントローラ１０２を省電力状態から復帰させて機器状況情報を送信するように構成してもよい。
【実施例３】
【００８５】
＜画像形成装置がスキャンデータを送信するときの画像形成装置の動作説明＞
以下、画像処理コントローラ１０２が省電力状態のときに画像形成装置１０３がスキャンデータを送信するときの画像形成装置１０３の動作を図９のフローチャートを用いて説明する。
【００８６】
図９は、画像形成装置１０３がスキャンデータを送信するときの画像形成装置１０３の動作の一例を示すフローチャートである。なお、図９に示したフローチャートは、メモリ２０９に展開されたプログラムをＣＰＵ２０８が実行することにより実現される。このフローチャートでは、画像処理コントローラ１０２はＤＦＥ（Digital Front End）と記す。
【００８７】
画像形成装置１０３には、スキャンデータを外部のクライアントＰＣ１０１、サーバ１１４に送信するＳｅｎｄ機能がある。送信先の指定方法には、予めユーザが送信先を登録できるアドレス帳にあるメールアドレスによる指定、直接メールアドレス入力指定、登録したファイルサーバによる指定、ネットワークに接続されたファイルサーバを検索して指定する方法などがある。
【００８８】
画像形成装置１０３では、画像処理コントローラ１０２が省電力状態のときのＳｅｎｄ動作を予め設定することができる。
図１０は、画像処理コントローラ１０２が省電力状態のときのＳｅｎｄ動作を設定する最大送信ジョブ留め置き時間設定画面の一例を示す図である。
【００８９】
設定画面１００１は操作部１０５に表示され、この設定画面１００１を用いて、画像形成システム１００の管理者がＳｅｎｄ動作の設定を行うためのものである。
１００２は、最大送信ジョブ留め置き時間の設定を選択するためのボタンである。最大送信ジョブ留め置き時間は、スキャンデータをスキャンしてから送信するまでの最大留め置き時間であり、１００２が選択された場合、１００５で最大送信ジョブ留め置き時間を設定可能となる。図１０の例では、最大送信ジョブ留め置き時間が３時間に設定されている。
【００９０】
１００３は、送信ジョブを留め置きしない設定を選択するためのボタンであり、スキャンデータを常に即時に送信する場合に設定される。ＯＫボタン１００４が押下されると、ＣＰＵ２０８は、上記設定をＭＦＰコントローラ１０６の例えばＨＤＤ２１１に保存する。
【００９１】
画像処理コントローラ１０２が省電力状態中に画像形成装置１０３がＳｅｎｄを開始するとき、ＣＰＵ２０８は、操作部１０５の表示をスキャンデータ送信先設定画面（不図示）に遷移させ、ユーザから送信先の指定を受け付ける（Ｓ９０１）。
【００９２】
ユーザから送信先の指定が入力されると、ＣＰＵ２０８は、ユーザが入力した送信先を判断する（Ｓ９０２、Ｓ９０３、Ｓ９０４）。
【００９３】
ＣＰＵ２０８は、ユーザの入力した送信先がネットワーク上のクライアントＰＣ１０１やサーバ１１４を操作部１０５から参照検索する送信先と判断した場合（Ｓ９０２でＮｏ、Ｓ９０３でＮｏ且つＳ９０４でＹｅｓの場合）、Ｓ９０５に処理を進める。
【００９４】
Ｓ９０５では、ＣＰＵ２０８は、マジックパケットをネットワークＩ／Ｆ ２１０、制御ケーブル１１１を介して画像処理コントローラ１０２に送信し、画像処理コントローラ１０２を省電力状態から復帰させる。次に、ＣＰＵ２０８は、スキャナ部１０４を動作させスキャン画像データを生成する（Ｓ９０６）。ＣＰＵ２０８が指定された送信先に前記スキャン画像データを送信する（Ｓ９０７）。
【００９５】
また、ＣＰＵ２０８は、ユーザの入力した送信先がアドレス帳などの予め設定されたメールアドレスや登録ずみのファイルサーバであると判断した場合（Ｓ９０２でＹｅｓの場合）、Ｓ９０８に処理を進める。また、ＣＰＵ２０８は、ユーザの入力した送信先が直接入力されたメールアドレスやファイルサーバであると判断した場合（Ｓ９０３でＹｅｓの場合）、Ｓ９０８に処理を進める。
【００９６】
Ｓ９０８では、ＣＰＵ２０８は、スキャナ部１０４を動作させスキャン画像データを生成する。さらに、ＣＰＵ２０８は、上記Ｓ９０８で生成したスキャン画像データを、ＨＤＤ２１１の送信ジョブ留め置き領域に格納する（Ｓ９０９）。
【００９７】
次に、ＣＰＵ２０８は、画像処理コントローラ１０２が省電力状態から復帰したか否かを判断する（Ｓ９１０）。ＣＰＵ２０８は、画像処理コントローラ１０２が省電力状態から復帰したと判断した場合（Ｓ９１０でＹｅｓの場合）、ＣＰＵ２０８は指定された送信先に前記スキャン画像データを送信する（Ｓ９０７）。
【００９８】
一方、ＣＰＵ２０８は、画像処理コントローラ１０２が省電力状態から復帰していないと判断した場合（Ｓ９１０でＮｏの場合）、Ｓ９１１に処理を進める。Ｓ９１１では、ＣＰＵ２０８は、上記Ｓ９０８のスキャンを実施した時間からの経過時間が予め設定されている最大送信ジョブ留め置き時間を超えているか否かを判断する。ＣＰＵ２０８は、スキャンを実施した時間からの経過時間が最大送信ジョブ留め置き時間を超えていないと判断した場合（Ｓ９１１でＮｏの場合）、Ｓ９１０、Ｓ９１１の判断を繰り返すように制御する。
【００９９】
一方、ＣＰＵ２０８は、スキャンを実施した時間からの経過時間が最大送信ジョブ留め置き時間を超えていると判断した場合（Ｓ９１１でＹｅｓの場合）、Ｓ９１２に処理を移行させる。Ｓ９１１では、ＣＰＵ２０８は、マジックパケットをネットワークＩ／Ｆ ２１０、制御ケーブル１１１を介して画像処理コントローラ１０２に送信し、画像処理コントローラ１０２を省電力状態から復帰させる。次に、ＣＰＵ２０８は、指定された送信先に前記スキャン画像データを送信する（Ｓ９０７）。
【０１００】
なお、上記Ｓ９０９のジョブ格納処理では、図１１に示すように、送信確認画面１１０１を操作部１０５に表示するようにしてもよい。
図１１は、画像処理コントローラ１０２が省電力状態のときのＳｅｎｄ動作を設定するための送信確認画面１１０１の一例を示す図である。
【０１０１】
ＣＰＵ２０８は、スキャンデータをＨＤＤ２１１に格納後、Ｓｅｎｄジョブ送信確認画面１１０１を操作部１０５に表示するように制御する。この送信確認画面１１０１には、１１０３のように、スキャン時間から最大送信ジョブ留め置き時間（図１０の１００２で設定）が経過した時刻をメッセージの中に表示する。即ち、１１３に表示される時刻は、遅くとも留置きされているスキャンデータが送信される時刻に相当する。
【０１０２】
１１０３のようなメッセージにより、ユーザはスキャンデータが遅くとも送信される時刻を知ることができる。また、この時刻は、画像形成装置１０３の操作部１０５からジョブの情報を取得するステータス印刷を行うときに、ＣＰＵ２０８の制御により、送信予定時刻として印刷される。
【０１０３】
ユーザが即座にスキャンデータを送信したい場合には、「すぐに送信」ボタン１１０２を押下する。「すぐに送信」ボタン１１０２が押下されると、ＣＰＵ２０８は、マジックパケットをネットワークＩ／Ｆ ２１０、制御ケーブル１１１を介して画像処理コントローラ１０２に送信し、画像処理コントローラ１０２を省電力状態から復帰させる。そして、ＣＰＵ２０８は、指定された送信先に前記スキャン画像データを送信する。また、ＯＫボタン１１０４が押下されると、ＣＰＵ２０８は、スキャン画像データを留置きし、１１０３に示した時刻に送信するように制御する。
【０１０４】
また、上記Ｓ９０９でスキャンジョブを格納するときに容量不足などでＨＤＤ２１１のスキャンジョブ格納領域にスキャンジョブを格納できない場合は、即座にスキャンデータを送信するようにしてもよい。この際、即座に、ＣＰＵ２０８は、マジックパケットをネットワークＩ／Ｆ ２１０、制御ケーブル１１１を介して画像処理コントローラ１０２に送信し、画像処理コントローラ１０２を省電力状態から復帰させる。そして、ＣＰＵ２０８は、指定された送信先に前記スキャン画像データを送信する。
【０１０５】
画像処理コントローラ１０２が省電力状態のときに画像形成装置１０３がスキャンデータを送信するときの画像処理コントローラ１０２の動作については、実施例１と同様である。ただし、画像処理コントローラ１０２は、省電力状態から復帰後（Ｓ１２０２、Ｓ１２０３）、スキャンデータを受信し（Ｓ１２０４）、該受信したスキャンデータをＬＡＮ１１３に転送する（Ｓ１２０５）。
＜実施例３の効果＞
実施例３では、画像形成装置１０３がスキャンデータを送信するときに画像処理コントローラ１０２が省電力状態の場合には即座にスキャンデータの送信を行わず、画像形成装置１０３のＨＤＤ２１１に留め置きする（送信を制限（保留）する）。そして、ＣＰＵ２０８は、画像処理コントローラ１０２が省電力状態から復帰したとき、またはスキャンした時間から予め設定した時間が経過した場合にスキャンデータの送信を行う。これにより、スキャンデータ送信による画像処理コントローラ１０２の省電力状態からの復帰回数を削減し、電力を削減することができるという効果を有する。
【０１０６】
また、実施例３でも、実施例２と同様に、現在時刻が予め設定されている所定の時間帯に入っている場合に、画像処理コントローラ１０２を省電力状態から復帰させてスキャンデータを送信するように構成してもよい。
【０１０７】
以上のように、画像形成装置１０３から外部に即座にデータ送信する必要のない場合には、できるだけ画像処理コントローラ１０２を省電力状態に保持することができる。よって、画像形成装置１０３からのデータ送信を中継する画像処理コントローラ１０２が省電力状態から復帰する回数を減らすことができ、省エネルギーを実現することができる。
【０１０８】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１０９】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１１０】
１０１    クライアントコンピュータ
１０２    画像処理コントローラ（ＤＦＥ）
１０３    画像処理装置（ＭＦＰ）
１０６    ＭＦＰコントローラ
２０１    ＣＰＵ
２０５    ネットワークＩ／Ｆ
２０８    ＣＰＵ
２１０    ネットワークＩ／Ｆ
６０２    スタンバイ状態
６０４    省電力状態
【図１】
2015053553.tif 000003
【図２】
2015053553.tif 000004
【図３】
2015053553.tif 000005
【図４】
2015053553.tif 000006
【図５】
2015053553.tif 000007
【図６】
2015053553.tif 000008
【図７】
2015053553.tif 000009
【図８】
2015053553.tif 000010
【図９】
2015053553.tif 000011
【図１０】
2015053553.tif 000012
【図１１】
2015053553.tif 000013
【図１２】
2015053553.tif 000014